(57)【要約】【課題】容易且つ確実に透水孔に固定することができ、取り外しも容易な透水孔カバーの提供。【解決手段】透水孔カバー５は、カバー本体６に支持されたボルト支持部材１２と、ボルト支持部材１２に回転可能に挿通されたボルト１３と、ボルトに螺合された係合部材１４とを備え、係合部材１４は、ボルトに螺合された係合部本体２０と、係合部本体２０に上向きに突設された案内部材２１，２１とを備え、案内部材２１，２１は、ボルト１３に対し係合部本体２０の長手方向に片寄せ、ボルト１３の中心軸より一定の距離をおいて配置されている。【選択図】図２
2020060073.tif 000002
【特許請求の範囲】
【請求項１】
コンクリート体の表面に開口し、内部水路と連通した長孔状の透水孔の表面側開口部に嵌合されるカバー本体と、該カバー本体を前記透水孔に固定するための１又は複数の取り付け具とを備えた透水孔カバーにおいて、
前記取り付け具は、前記カバー本体に支持されたボルト支持部材と、該ボルト支持部材に回転可能に挿通されたボルトと、該ボルトに螺合された係合部材と、前記係合部材を抜け止めするストッパー部材とを備え、
前記係合部材は、前記ボルトに螺合され、両端部が前記透水孔の水路側開口縁部に係合する係合部本体と、該係合部本体に上向きに突設された案内部材とを備え、
該案内部材は、前記ボルトに対し前記係合部本体の長手方向に片寄せ、前記ボルトの中心軸より一定の距離をおいて配置されていることを特徴とする透水孔カバー。
【請求項２】
一対の前記案内部材が互いに前記ボルトを介して対称に配置されている請求項１に記載の透水孔カバー。
【請求項３】
前記係合部材は、金属製板材をもって一体に形成され、
前記係合部本体は、長板状の基板と、該基板の側縁より折り曲げられた立ち上げ補強片とを備え、
前記案内部材は、前記立ち上げ補強片の上縁より上向きに突出している請求項１又は２に記載の透水孔カバー。
【請求項４】
前記カバー本体は、取り付け作業用孔を有するカバー板と、該カバー板の両側縁に支持された一対の係止片とを備え、
前記ボルト支持部材は、前記両係止片に支持されて前記カバー板下にスライド可能に挿入されている請求項１〜３の何れか一に記載の透水孔カバー。
【発明の詳細な説明】
【技術分野】
【０００１】
本発明は、主に側溝を構成するコンクリートブロック体に形成された透水孔を被覆する透水孔カバーに関する。
【背景技術】
【０００２】
道路の側溝には、側溝を構成するコンクリート版又は中空函状のコンクリート体の上面に透水孔が形成され、雨天等により発生した水がこの透水孔より側溝内の水路に流れ込むようになっている。
【０００３】
しかし、透水孔の縁部は、コンクリートが打ちさらしの状態にあるので、開口縁部が欠損し易く、透水孔の開口縁部が欠損することによって、透水孔の孔幅が広がってしまったり、見栄えが悪くなったりするという問題があり、また、ハイヒールの踵部分や車椅子の車輪が嵌ってしまい転倒する等の危険性があるという問題があった。
【０００４】
また、透水孔によっては、開口縁部に面取りが施され、互いに対向する傾斜面によって、逆ハ字状のテーパ断面が形成されたものもある。
【０００５】
そこで、従来では、透水孔の開口部を覆う透水孔カバーを使用し、透水孔を保護するとともに車椅子の脱輪やハイヒールの踵部分が嵌り込むのを防止して安全性を高めるようにしている（例えば、特許文献１、特許文献２を参照）。
【０００６】
この透水孔カバーは、透水孔を覆うカバー本体と、カバー本体を透水孔に固定するための取付具とを備え、カバー本体を透水孔開口部に嵌め込むとともに取付具を透水孔の内周面又は水路側開口縁部に係合させることによって固定されるようになっている。
【先行技術文献】
【特許文献】
【０００７】
【特許文献１】特開平１０−１３１２７３号公報
【特許文献２】特開２００５−３３６９５１号公報
【発明の概要】
【発明が解決しようとする課題】
【０００８】
しかしながら、上述の如き従来の技術では、カバー本体を透水孔開口部に嵌め込んだ状態で取付具を透水孔の内周面又は水路側開口縁部に係合させる構造であるため、取付け作業中に取付具の状態を確認することが難しく、取り付け作業が煩雑であるという問題があった。
【０００９】
また、透水孔カバーを取り付けた状態では、取付具が透水孔の内周面又は水路側開口縁部に係合した状態であるため、点検や交換等に際し、透水孔カバーを取り外す際、取付具が透水孔に引っ掛かり、取り外し作業が困難であるという問題があった。
【００１０】
そこで本発明は、上述の従来技術の問題を鑑み、容易且つ確実に透水孔に固定することができ、取り外しも容易な透水孔カバーの提供を目的とする。
【課題を解決するための手段】
【００１１】
上述の如き従来の問題を解決するための請求項1に記載の発明の特徴は、コンクリート体の表面に開口し、内部水路と連通した長孔状の透水孔の表面側開口部に嵌合されるカバー本体と、該カバー本体を前記透水孔に固定するための１又は複数の取り付け具とを備えた透水孔カバーにおいて、前記取り付け具は、前記カバー本体に支持されたボルト支持部材と、該ボルト支持部材に回転可能に挿通されたボルトと、該ボルトに螺合された係合部材と、前記係合部材を抜け止めするストッパー部材とを備え、前記係合部材は、前記ボルトに螺合され、両端部が前記透水孔の水路側開口縁部に係合する係合部本体と、該係合部本体に上向きに突設された案内部材とを備え、該案内部材は、前記ボルトに対し前記係合部本体の長手方向に片寄せ、前記ボルトの中心軸より一定の距離をおいて配置されていることにある。
【００１２】
請求項２に記載の発明の特徴は、請求項１の構成に加え、一対の前記案内部材が互いに前記ボルトを介して対称に配置されていることにある。
【００１３】
請求項３に記載の発明の特徴は、請求項１又は２の構成に加え、前記係合部材は、金属製板材をもって一体に形成され、前記係合部本体は、長板状の基板と、該基板の側縁より折り曲げられた立ち上げ補強片とを備え、前記案内部材は、前記立ち上げ補強片の上縁より上向きに突出していることにある。
【００１４】
請求項４に記載の発明の特徴は、請求項１〜３の何れか一の構成に加え、前記カバー本体は、取り付け作業用孔を有するカバー板と、該カバー板の両側縁に支持された一対の係止片とを備え、前記ボルト支持部材は、前記両係止片に支持されて前記カバー板下にスライド可能に挿入されていることにある。
【発明の効果】
【００１５】
本発明に係る透水孔カバーは、請求項１に記載の構成を具備することによって、案内部材によって係合部材の向きを有利な方向に誘導、即ち、装着時においては、透水孔に挿入可能な方向から係合部材を両端が透水孔の水路側開口縁部に係合部材本体部の両端部が係合する位置まで誘導し、取り外し時には、透水孔の水路側開口縁部に係合部本体の両端部が係合する位置から係合部材が透水孔を通過可能な位置まで誘導することができる。
【００１６】
また、本発明において、請求項２に記載の構成を具備することによって、一対の案内部材によって着脱時における係合部材の向きを好適に案内することができる。
【００１７】
さらに、本発明において、請求項３に記載の構成を具備することによって、係合部材を一枚の板材より打抜き・折り曲げ加工によって形成することができ、製造コストの低減を図ることができる。
【００１８】
さらにまた、本発明において、請求項４に記載の構成を具備することによって、側溝を構成するコンクリート体に形成された透水孔に合わせて、カバー本体の長さ及び取付具の位置を調整することができるので、多様な透水孔に対応でき、コストの低減を図ることができる。
【図面の簡単な説明】
【００１９】
【図１】本発明に係る透水孔カバーの実施態様を示す分解斜視図である。
【図２】同上の透水孔カバーを設置した状態を示す断面図である。
【図３】（ａ）は図１中のカバー本体を示す平面図、（ｂ）は同側面図、（ｃ）は同断面図である。
【図４】（ａ）は同上のボルト支持部を示す平面図、（ｂ）は同正面図、（ｃ）は同Ａ−Ａ線断面図である。
【図５】（ａ）は同上の係合部材を示す平面図、（ｂ）は同正面図、（ｃ）は同Ｂ−Ｂ線断面図である。
【図６】（ａ）〜（ｃ）は透水孔カバーの取り付け手順を示す断面図である。
【図７】（ｄ）〜（ｆ）は透水孔カバーの取り外し手順を示す断面図である。
【発明を実施するための形態】
【００２０】
次に、本発明に係る透水孔カバーの実施態様を図１〜図７に示した実施例に基づいて説明する。
【００２１】
尚、図中符号１は、側溝を構成するコンクリート体であって、このコンクリート体１に内部水路２と連通した透水孔３が形成され、透水孔３を通じて内部水路２に雨水等が流入するようになっている。
【００２２】
透水孔３は、傾斜した内側面が互いに対向した水路側が広いテーパ穴状に形成され、その表面側開口縁部に面取り部４が形成されている。
【００２３】
面取り部４は、互いに対向し、表面側に拡開する断面逆ハの字状を成し、この面取り部４を含む表面側開口部を透水孔カバー５で覆うようになっている。
【００２４】
透水孔カバー５は、透水孔３の表面側開口部に嵌合されるカバー本体６と、カバー本体６を透水孔３に固定するための１又は複数の取り付け具７，７とを備え、カバー本体６を透水孔３の表面側開口部に嵌め込み、取り付け具７，７で固定するようになっている。
【００２５】
カバー本体６は、図３に示すように、ステンレス等の金属製板材によって構成され、長板状のカバー板８と、カバー板８の両側縁に支持された一対の係止片９，９とを備え、透水孔３の長さに合わせた長さとなっている。
【００２６】
カバー板８は、横幅が透水孔３の表面側開口部幅、即ち、対向する面取り部４，４の上端間幅に合わせて形成され、透水孔３の表面側開口を覆うようになっている。
【００２７】
このカバー板８には、長手方向に間隔をおいて複数の取水孔１０，１０…が形成され、この取水孔１０，１０…を通して雨水等の水が透過するようになっている。
【００２８】
取水孔１０，１０…は、例えば、丸長孔状に形成され、カバー板８の中央に所定の間隔を置いて直列に配置され、取り付け具７の取り付け作業用孔としても使用する。
【００２９】
尚、取水孔１０，１０…は、例えば、カバー板８の側縁と係止片９，９とに跨る配置に備え、取り付け具７の取り付け作業用孔を別途に備えてもよい。
【００３０】
係止片９，９は、カバー板８の側縁より互いに斜め下内向きに突出した傾斜板部によって構成され、両係止片９，９が断面逆ハ字状を成し、カバー板８下に両係止片９，９に挟まれたスライド溝１１が形成されている。
【００３１】
そして、スライド溝１１には、一又は複数の取り付け具７，７がスライド可能に挿入され、各取り付け具７，７を任意の取水孔１０，１０…（取り付け作業用孔）の位置に移動できるようになっている。
【００３２】
取り付け具７は、両係止片９，９に支持されてカバー板８下のスライド溝１１にスライド可能に挿入されたボルト支持部材１２と、ボルト支持部材１２に回転可能に挿通されたボルト１３と、ボルト１３に螺合された係合部材１４と、係合部材１４を抜け止めするストッパー部材１５とを備え、カバー本体６を透水孔３の表面側開口部に嵌め込むとともに、取り付け具７を透水孔３内に挿入し、ボルト１３の締め付けによって係合部材１４を透水孔３の水路側開口縁部と係合させるようになっている。
【００３３】
ボルト支持部材１２は、図４に示すように、カバー本体６にスライド可能に挿入される平板状のスライド板１６と、スライド板１６に支持されたボルト支持部１７とを備え、スライド板１６の開口１６ａを通してボルト支持部１７のボルト挿通孔１８に挿通されるとともに、ボルト挿通孔１８の縁部にボルト１３の頭部が支持されるようになっている。
【００３４】
スライド板１６は、両側部にテーパ状の押圧部１９，１９を備え、押圧部１９，１９がボルト１３の回転に連動して係止片９の傾斜板部を押圧し、透水孔３の表面側開口縁部に形成された面取り部４に当接させるようになっている。
【００３５】
押圧部１９，１９は、下側に傾斜面を有するテーパ状に形成され、傾斜面が係止片９，９と係合し、ボルト支持部１７が両係止片９，９の下端より下向きに突出する。
【００３６】
尚、両係止片９，９の下端より下向きに突出したボルト支持部１７は、透水孔３の内側面に案内されることによって、カバー本体６の転倒を防止できるようになっている。
【００３７】
ボルト１３は、ネジ部１３ａがボルト挿通孔１８を通してボルト支持部材１２の下側、即ちカバー本体６とは反対側に突出され、頭部１３ｂがボルト挿通孔１８の開口縁部に支持され、ボルト支持部材１２に対し、回転自在に支持されるようになっている。
【００３８】
また、ボルト１３には、下端にストッパー部材１５が固定されており、ストッパー部材１５によって係合部材１４がボルト１３に対し抜け止めされ、ストッパー部材１５より下に移動できないようになっている。
【００３９】
係合部材１４は、図５に示すように、一定の厚みを有するステンレス板材などの金属製板材をプレス加工（打抜き・折り曲げ加工）することによって形成され、ボルト１３に螺合され、両端部が透水孔３の水路側開口縁部に係合する係合部本体２０と、係合部本体２０に上向きに突設された案内部材２１，２１とを備えている。
【００４０】
係合部本体２０は、長板状の基板２０ａと、基板２０ａの両側縁より上向きに折り曲げて立ち上げた立ち上げ補強片２０ｂ，２０ｂとを備え、基板２０ａと立ち上げ補強片２０ｂ，２０ｂとが断面コ字状を成している。
【００４１】
基板２０ａは、短辺幅が透水孔３の幅より小さく、且つ、長辺長さが透水孔３の幅よりも大きい長方形状に形成され、その中央にボルト１３と螺合する雌ネジ部２２が形成され、雌ネジ部２２をボルト１３に螺合させることによって、ボルト１３を回転させることにより、ボルト１３に対し軸方向移動、即ち上下移動するようになっている。
【００４２】
立ち上げ補強片２０ｂ，２０ｂは、基板２０ａの両側縁より立ち上げたリブ状に形成され、各立ち上げ補強片２０ｂ，２０ｂの上縁に板状の案内部材２１，２１が一体に突設されている。
【００４３】
各案内部材２１，２１は、その中心線がボルト１３に対し係合部本体２０の長手方向の互いに異なる一方側に片寄せられ、且つ、ボルト１３の中心軸より一定の距離をおいて配置されている。
【００４４】
よって、各案内部材２１，２１は、ボルト１３の時計回り方向に対し、係合部材１４の後方側に位置した状態で互いにボルト１３を介して対称に配置されている。
【００４５】
また、案内部材２１，２１は、カバー本体６が透水孔３の表面側開口部に嵌合した状態において、係合部材１４がストッパー部材１５に当接した状態であってもその先端部が透水孔３内に挿入される長さに形成されている。
【００４６】
次に、この透水孔カバー５の取り付け方法について説明する。
【００４７】
先ず、必要に応じて、透水孔３の長さに合わせてカバー本体６を切断し、その長さに応じて必要数の取り付け具７，７、即ち、ボルト支持部材１２をスライド溝１１に挿入し、両係止片９，９にボルト支持部材１２に支持させる。
【００４８】
その際、係合部材１４をボルト１３に対して相対的に回転させて係合部材１４をボルト１３の先端側に移動させ、係合部材１４をカバー本体６と平行になるようセットしておく。
【００４９】
次に、図６（ａ）に示すように、ボルト支持部材１２をスライド溝１１内でスライドさせて任意の取水孔１０，１０…（取り付け作業用孔）の位置に合わせた状態とし、この状態で取り付け具７を透水孔３に挿入するとともに、カバー本体６を透水孔３の開口部に嵌め込む。
【００５０】
次に、カバー本体６の取水孔１０，１０…（取り付け作業用孔）よりボルト１３の頭部の六角孔に六角レンチを挿入し、所定の方向（上面から見て時計回り）に回転させると、図６（ｂ）に示すように、ボルト１３の回転トルクが係合部材１４に伝達され、ボルト１３の回転に連動して係合部材１４が時計回り方向に回転する。
【００５１】
そして、係合部材１４の回転の伴い、案内部材２１，２１がボルト１３の回転方向の前方に向けて移動するとともに、係合部本体２０の両端部が透水孔３の水路側開口縁部下に突出する。
【００５２】
また、この係合部材１４の回転によって、案内部材２１，２１のボルト１３の中心軸から遠い側の縁部が透水孔３の内側面に押し付けられ、その位置で係合部材１４の回転が規制された状態となり、その状態で係合部材１４が上向き、即ち、ボルト支持部材１２側に移動する。
【００５３】
この状態において、さらにボルト１３を回転させると、案内部材２１，２１が透水孔３の内側面に押し付けられた状態のまま、係合部材１４が案内部材２１，２１にガイドされつつ、徐々に上方に移動し、所定の位置で係合部本体２０の両端部が透水孔３の水路側開口縁部に係合する。
【００５４】
そして、ボルト１３を回転させ締め付けると、それに連動してボルト頭部１３ａによってボルト支持部材１２に下向きに力が加わり、ボルト支持部材１２の押圧部１９，１９が係止片９，９の傾斜板部を押圧し、傾斜板部を透水孔３の開口縁部に形成された面取り部４に当接させ、カバー本体６が透水孔３の開口縁部に対し楔状に嵌合される。
【００５５】
よって、透水孔カバー５は、ボルト１３の下側に螺合された係止部本体２０の両端部が透水孔３の水路側開口縁部に係止され、係止部材１４とボルト１３及びボルト支持部材１２を介して連結されたカバー本体６が表面側開口縁部に嵌合されるので、透水孔３に対して固定される。
【００５６】
一方、この透水孔３カバーを取り外すには、図７（ｄ）に示すように、取付時とは逆方向（上面から見て反時計回り）に回転させる。
【００５７】
ボルト１３を反時計回りに回転させると、図７（ｅ）に示すように、係合部材１４がストッパー部材１５側に移動し、係合部材１４本体が透水孔３の水路側開口縁部との係合状態が解除されるとともに、ボルト１３の回転トルクを受けて係合部材１４が反時計回りに回転し、案内部材２１，２１が透水孔３の内側面に押し付けられた状態から開放される。
【００５８】
この状態において、案内部材２１，２１は、その先端部分が透水孔３の内側に挿入された状態にあり、案内部材２１，２１の外側面が透水孔３の取り付け時とは反対側の内側面に接触するので、一定以上の係合部材１４の反時計回りの回転が規制される。
【００５９】
そして、ボルト１３の回転を進めると、係合部材１４がストッパー部材１５に当接して停止するので、この状態でカバー本体６を引き上げる。
【００６０】
カバー本体６が引き上げられると、図７（ｆ）に示すように、透水孔３の幅が上側に向けて狭くなるため、内側面に接触した案内部材２１，２１が内側面に押されて係合部材１４が透水孔３カバーと略平行な状態となるように案内する。
【００６１】
よって、透水カバー５は、取り付け具７，７が透水孔３に引っかかることなく容易に引き上げることができる。
【００６２】
尚、上述の実施例では、係合部材１４をステンレス材等の金属板材をもって一体に形成した例について説明したが、上述の例に限定されず、例えば、案内部材２１，２１をピン状の部材によって形成してもよい。
【符号の説明】
【００６３】
１  コンクリート体
２  内部水路
３  透水孔
４  面取り部
５  透水孔カバー
６  カバー本体
７  取り付け具
８  カバー板
９  係止片
１０  取水孔（取り付け作業用孔）
１１  スライド溝
１２  ボルト支持部材
１３  ボルト
１４  係合部材
１５  ストッパー部材
１６  スライド板
１７  ボルト支持部
１８  ボルト挿通孔
１９  押圧部
２０  係合部本体
２１  案内部材
２２  雌ネジ部
【図１】
2020060073.tif 000003
【図２】
2020060073.tif 000004
【図３】
2020060073.tif 000005
【図４】
2020060073.tif 000006
【図５】
2020060073.tif 000007
【図６】
2020060073.tif 000008
【図７】
2020060073.tif 000009